(57)【要約】【課題】ユーザである老人等の方に測定データの転送等に際し余計な負担をかけることなく、且つユーザである老人等の子供等にとってリアルタイムに親の健康状態を知ることが可能であり、且つ比較的に安価な出費で済むデータ管理システム等を提供する。【解決手段】レシーバ１２がデータ測定器１４等から所定のワイヤレス通信方式により送られた測定データを受信し測定情報をサービス事業者側サーバ６４へ送信する。サービス事業者側サーバ６４は測定情報を所定の管理方式に基づきＤＢ６６に記録し、測定情報と所定の関連を有する携帯電話器８０へ所定の通知を送信する。携帯電話器８０は所定の通知に基づいて入力された送信要求をサービス事業者側サーバ６４へ送信し、サービス事業者側サーバ６４は当該要求に基づきデータベースＤＢ６６に記録された内容を所定の条件下で携帯電話器８０へ送信し、携帯電話器８０は送信された内容を所定の形式で提示する。【選択図】  図１
2007229315.tif 000002
【特許請求の範囲】
【請求項１】
ネットワークを介して接続された、データ送受信装置、データ管理サーバ及び移動通信装置を備えたデータ管理システムであって、
前記送受信装置は、
データ測定器から所定のワイヤレス通信方式により送られた測定データを受信する測定データ受信手段と、
前記測定データ受信手段により受信した測定データに基づく測定情報を前記データ管理サーバへ送信する測定情報送信手段とを備え、
前記データ管理サーバは、
前記測定情報送信手段により送信された測定情報を所定の管理方式に基づきデータ記録部に記録し、該測定情報と所定の関連を有する移動通信装置へ所定の通知を送信する測定情報処理手段と、
前記移動通信装置からの要求に基づき、データ記録部に記録された内容を所定の条件下で該移動通信装置へ送信する記録データ送信手段とを備え、
前記移動通信装置は、
前記測定情報処理手段により送信された所定の通知に基づいて入力された要求を前記データ管理サーバへ送信する要求送信手段と、
前記記録データ送信手段により送信された内容を所定の形式で提示する内容提示手段とを備えたことを特徴とするデータ管理システム。
【請求項２】
請求項１記載のデータ管理システムにおいて、前記ネットワークは、前記送受信装置と電話事業者側システムとの間は携帯電話通信網又は固定電話網であり、該電話事業者側システムと前記データ管理サーバとの間は専用線網であることを特徴とするデータ管理システム。
【請求項３】
請求項１又は２記載のデータ管理システムにおいて、
前記移動通信装置は、前記内容提示手段により提示された内容に基づく応答情報を前記送受信装置へ送信する応答情報送信手段をさらに備え、
前記送受信装置は、表示装置と、前記応答情報送信手段により送信された応答情報を該表示装置に表示する表示手段とをさらに備えたことを特徴とするデータ管理システム。
【請求項４】
請求項１乃至３のいずれかに記載のデータ管理システムにおいて、前記データ測定器は測定対象の生体に関連するデータの測定器、測定対象の環境に関連するデータの測定器、測定対象の状況に関連するデータの測定器のいずれか１つ以上であることを特徴とするデータ管理システム。
【請求項５】
ネットワークを介してデータ管理サーバと接続されたデータ送受信装置であって、
データ測定器から所定のワイヤレス通信方式により送られた測定データを受信する測定データ受信手段と、
前記測定データ受信手段により受信した測定データに基づく測定情報を前記データ管理サーバへ送信する測定情報送信手段とを備えたことを特徴とするデータ送受信装置。
【請求項６】
請求項５記載のデータ送受信装置において、前記ネットワークは、前記送受信装置と電話事業者側システムとの間は携帯電話通信網又は固定電話網であり、該電話事業者側システムと前記データ管理サーバとの間は専用線網であることを特徴とするデータ送受信装置。
【請求項７】
請求項５又は６記載のデータ送受信装置において、
前記測定情報送信手段により送信された測定情報は、前記データ管理サーバにより、所定の管理方式に基づきデータ記録部に記録され、該測定情報と所定の関連を有しネットワークを介して接続された移動通信装置へ所定の通知が送信され、
該所定の通知に基づいて前記移動通信装置側に入力された要求は、該移動通信装置により前記データ管理サーバへ送信され、
該要求に基づき、データ記録部に記録された内容が前記データ管理サーバにより所定の条件下で前記移動通信装置へ送信され、
該内容は、前記移動通信装置により、所定の形式で提示され、提示された内容に基づく応答情報が前記送受信装置へ送信され、
該応答情報は、前記データ送受信装置側の表示装置に表示されることを特徴とするデータ送受信装置。
【請求項８】
請求項５乃至７のいずれかに記載のデータ送受信装置において、前記データ測定器は測定対象の生体に関連するデータの測定器、測定対象の環境に関連するデータの測定器、測定対象の状況に関連するデータの測定器のいずれか１つ以上であることを特徴とするデータ送受信装置。
【請求項９】
ネットワークを介してデータ送受信装置及び移動通信装置と接続されたデータ管理サーバであって、
データ測定器から前記データ送受信装置へ所定のワイヤレス通信方式により送られ、該データ送受信装置から送信された測定データに基づく測定情報を、所定の管理方式に基づきデータ記録部に記録し、該測定情報と所定の関連を有する移動通信装置へ所定の通知を送信する測定情報処理手段と、
前記移動通信装置からの要求に基づき、データ記録部に記録された内容を所定の条件下で該移動通信装置へ送信する記録データ送信手段とを備えたことを特徴とするデータ管理サーバ。
【請求項１０】
請求項９記載のデータ管理サーバにおいて、前記ネットワークは、前記送受信装置と電話事業者側システムとの間は携帯電話通信網又は固定電話網であり、該電話事業者側システムと前記データ管理サーバとの間は専用線網であることを特徴とするデータ管理サーバ。
【請求項１１】
請求項９又は１０記載のデータ管理サーバにおいて、前記データ測定器は測定対象の生体に関連するデータの測定器、測定対象の環境に関連するデータの測定器、測定対象の状況に関連するデータの測定器のいずれか１つ以上であることを特徴とするデータ管理サーバ。
【請求項１２】
ネットワークを介して接続された、データ送受信装置、データ管理サーバ及び移動通信装置により用いられるデータ管理方法であって、
前記送受信装置が、
データ測定器から所定のワイヤレス通信方式により送られた測定データを受信する測定データ受信ステップと、
前記測定データ受信ステップにより受信した測定データに基づく測定情報を前記データ管理サーバへ送信する測定情報送信ステップと、
前記データ管理サーバが、
前記測定情報送信ステップにより送信された測定情報を所定の管理方式に基づきデータ記録部に記録し、該測定情報と所定の関連を有する移動通信装置へ所定の通知を送信する測定情報処理ステップと、
前記移動通信装置が、
前記測定情報処理ステップにより送信された所定の通知に基づいて入力された要求を前記データ管理サーバへ送信する要求送信ステップと、
前記データ管理サーバが、
前記要求送信ステップにより送信された要求に基づき、データ記録部に記録された内容を所定の条件下で前記移動通信装置へ送信する記録データ送信ステップと、
前記移動通信装置が、
前記記録データ送信ステップにより送信された内容を所定の形式で提示する内容提示ステップとを備えたことを特徴とするデータ管理方法。
【発明の詳細な説明】
【技術分野】
【０００１】
本発明は、ネットワークを介して接続された、データ送受信装置、データ管理サーバ及び移動通信装置を備えたデータ管理システム等に関する。
【背景技術】
【０００２】
近年、体重計、体脂肪計等により測定されたユーザ（測定対象）の各測定データを遠隔のサーバに収集し、健康管理に役立てる健康管理システムの開発が進められている。このような健康管理システムでは、一般に、各測定データは一旦パーソナル・コンピュータ（ＰＣ）に入力され、その後バッチ処理的にサーバへ転送されている。一方、高齢化社会の急速な到来に伴い、子供と離れて一人暮らしをしている独居老人家庭が増大している。このような老人の方の健康を適切に管理するために、上記健康管理システムの開発はますます重要性を増してきている（非特許文献１参照）。老人ではなくても介護を要する方に対しても同様である。
【０００３】
【非特許文献１】“総務省情報通信白書平成１５年版（第１章第３節４（６））”、［online］、総務省、［平成１８年２月２７日検索］、インターネット、  <URL:http://www.johotsusintokei.soumu.go.jp/whitepaper/ja/h15/pdf/F1030000.pdf>
【発明の開示】
【発明が解決しようとする課題】
【０００４】
従来の健康管理システムは、上述のようにユーザの各測定データを一旦ＰＣに入力し、その後バッチ処理的にサーバへ転送する必要があった。従って、従来の健康管理システムを独居老人家庭または介護を要する方の家庭等に適用した場合、ユーザである老人または介護を要する方（以下、「老人等と言う。」）の方に、まずＰＣの配置および必要な初期設定の操作と、続いて各測定データを一旦ＰＣに入力させる操作と、その後バッチ処理的にサーバへ転送する操作等とを行ってもらう必要があった。しかし、ユーザである老人等の方に上記操作を行ってもらうことは極めて負担をかけるものであるという問題があった。加えて、ＰＣの購入および健康管理システムの使用料等には安くはない出費を要するという問題があった。ユーザである老人等の子供にとっては、サーバを参照しても親の健康状態をバッチ的に知るだけであり、今現在の親の健康状態を直ちに知ることができないという問題があった。
【０００５】
そこで、本発明の目的は、上記問題を解決するためになされたものであり、独居老人家庭等におけるユーザである老人等の方に測定データの転送等に際し余計な負担をかけることなく、且つユーザである老人等の子供等にとってリアルタイムに親の健康状態を知ることが可能であり、且つ比較的に安価な出費で済むデータ管理システム等を提供することにある。
【課題を解決するための手段】
【０００６】
この発明のデータ管理システムは、ネットワークを介して接続された、データ送受信装置、データ管理サーバ及び移動通信装置を備えたデータ管理システムであって、前記送受信装置は、データ測定器から所定のワイヤレス通信方式により送られた測定データを受信する測定データ受信手段と、前記測定データ受信手段により受信した測定データに基づく測定情報を前記データ管理サーバへ送信する測定情報送信手段とを備え、前記データ管理サーバは、前記測定情報送信手段により送信された測定情報を所定の管理方式に基づきデータ記録部に記録し、該測定情報と所定の関連を有する移動通信装置へ所定の通知を送信する測定情報処理手段と、前記移動通信装置からの要求に基づき、データ記録部に記録された内容を所定の条件下で該移動通信装置へ送信する記録データ送信手段とを備え、前記移動通信装置は、前記測定情報処理手段により送信された所定の通知に基づいて入力された要求を前記データ管理サーバへ送信する要求送信手段と、前記記録データ送信手段により送信された内容を所定の形式で提示する内容提示手段とを備えたことを特徴とする。
【０００７】
ここで、この発明のデータ管理システムにおいて、前記ネットワークは、前記送受信装置と電話事業者側システムとの間は携帯電話通信網又は固定電話網であり、該電話事業者側システムと前記データ管理サーバとの間は専用線網であるものとすることができる。
【０００８】
ここで、この発明のデータ管理システムにおいて、前記移動通信装置は、前記内容提示手段により提示された内容に基づく応答情報を前記送受信装置へ送信する応答情報送信手段をさらに備え、前記送受信装置は、表示装置と、前記応答情報送信手段により送信された応答情報を該表示装置に表示する表示手段とをさらに備えることができる。
【０００９】
ここで、この発明のデータ管理システムにおいて、前記データ測定器は測定対象の生体に関連するデータの測定器、測定対象の環境に関連するデータの測定器、測定対象の状況に関連するデータの測定器のいずれか１つ以上であるものとすることができる。
【００１０】
この発明のデータ送受信装置は、ネットワークを介してデータ管理サーバと接続されたデータ送受信装置であって、データ測定器から所定のワイヤレス通信方式により送られた測定データを受信する測定データ受信手段と、前記測定データ受信手段により受信した測定データに基づく測定情報を前記データ管理サーバへ送信する測定情報送信手段とを備えたことを特徴とする。
【００１１】
ここで、この発明のデータ送受信装置において、前記ネットワークは、前記送受信装置と電話事業者側システムとの間は携帯電話通信網又は固定電話網であり、該電話事業者側システムと前記データ管理サーバとの間は専用線網であるものとすることができる。
【００１２】
ここで、この発明のデータ送受信装置において、前記測定情報送信手段により送信された測定情報は、前記データ管理サーバにより、所定の管理方式に基づきデータ記録部に記録され、該測定情報と所定の関連を有しネットワークを介して接続された移動通信装置へ所定の通知が送信され、該所定の通知に基づいて前記移動通信装置側に入力された要求は、該移動通信装置により前記データ管理サーバへ送信され、該要求に基づき、データ記録部に記録された内容が前記データ管理サーバにより所定の条件下で前記移動通信装置へ送信され、該内容は、前記移動通信装置により、所定の形式で提示され、提示された内容に基づく応答情報が前記送受信装置へ送信され、該応答情報は、前記データ送受信装置側の表示装置に表示されることができる。
【００１３】
ここで、この発明のデータ送受信装置において、前記データ測定器は測定対象の生体に関連するデータの測定器、測定対象の環境に関連するデータの測定器、測定対象の状況に関連するデータの測定器のいずれか１つ以上であるものとすることができる。
【００１４】
この発明のデータ管理サーバは、ネットワークを介してデータ送受信装置及び移動通信装置と接続されたデータ管理サーバであって、データ測定器から前記データ送受信装置へ所定のワイヤレス通信方式により送られ、該データ送受信装置から送信された測定データに基づく測定情報を、所定の管理方式に基づきデータ記録部に記録し、該測定情報と所定の関連を有する移動通信装置へ所定の通知を送信する測定情報処理手段と、前記移動通信装置からの要求に基づき、データ記録部に記録された内容を所定の条件下で該移動通信装置へ送信する記録データ送信手段とを備えたことを特徴とする。
【００１５】
ここで、この発明のデータ管理サーバにおいて、前記ネットワークは、前記送受信装置と電話事業者側システムとの間は携帯電話通信網又は固定電話網であり、該電話事業者側システムと前記データ管理サーバとの間は専用線網であるものとすることができる。
【００１６】
ここで、この発明のデータ管理サーバにおいて、前記データ測定器は測定対象の生体に関連するデータの測定器、測定対象の環境に関連するデータの測定器、測定対象の状況に関連するデータの測定器のいずれか１つ以上であるものとすることができる。
【００１７】
この発明のデータ管理方法は、ネットワークを介して接続された、データ送受信装置、データ管理サーバ及び移動通信装置により用いられるデータ管理方法であって、前記送受信装置が、データ測定器から所定のワイヤレス通信方式により送られた測定データを受信する測定データ受信ステップと、前記測定データ受信ステップにより受信した測定データに基づく測定情報を前記データ管理サーバへ送信する測定情報送信ステップと、前記データ管理サーバが、前記測定情報送信ステップにより送信された測定情報を所定の管理方式に基づきデータ記録部に記録し、該測定情報と所定の関連を有する移動通信装置へ所定の通知を送信する測定情報処理ステップと、前記移動通信装置が、前記測定情報処理ステップにより送信された所定の通知に基づいて入力された要求を前記データ管理サーバへ送信する要求送信ステップと、前記データ管理サーバが、前記要求送信ステップにより送信された要求に基づき、データ記録部に記録された内容を所定の条件下で前記移動通信装置へ送信する記録データ送信ステップと、前記移動通信装置が、前記記録データ送信ステップにより送信された内容を所定の形式で提示する内容提示ステップとを備えたことを特徴とする。
【発明の効果】
【００１８】
本発明のデータ管理システム等によれば、携帯電話通信網、専用線網を介して相互に接続されたレシーバ、サービス事業者側サーバおよび携帯電話器を備えている。レシーバは、データ測定器から所定のワイヤレス通信方式により送られた特に老人等の方の測定データを受信する測定データ受信部と、測定データ受信部により受信した測定データに基づく測定情報をサービス事業者側サーバへ送信する測定情報送信部とを備えている。健康管理サービス事業者側サーバの測定情報処理部は、測定情報送信部により送信された測定情報を所定の管理方式に基づきデータベースＤＢへ記録し、測定情報と所定の関連を有する携帯電話器へ所定の通知を送信する。携帯電話器は、測定情報処理部により送信された所定の通知に基づいて、上記所定の関連を有する者から入力された測定情報の送信要求等を、健康管理サービス事業者側サーバへ送信する要求送信部を備えている。健康管理サービス事業者側サーバは、携帯電話器からの要求に基づき、データベースＤＢに記録された測定情報等の内容を所定の条件下で、携帯電話器へ送信する記録データ送信部を備えている。携帯電話器は、記録データ送信部により送信された測定情報等の内容を所定の形式で提示する内容提示部を備えている。
【００１９】
レシーバは、購入後、梱包された箱から取り出し電源を入れるだけですぐに使い始めることが可能となっている。このため、従来のようなＰＣの配置および必要な初期設定の操作等は不要である。データ測定器等は測定対象である老人等の方の生体に関連するデータの測定器または他の測定器であることが好適である。所定のワイヤレス通信方式は、データ測定器に応じて特定小電力無線、赤外線等とすることができる。以上のような通信方式を用いることにより、測定データをレシーバへ自動的且つリアルタイムに送信することができるため、老人等の方に測定データの転送等に際し余計な負担をかけることがなく、且つユーザである老人等の子供等にとってはリアルタイムに親の健康状態を知ることが可能となる。レシーバで受信された測定データは測定情報として基地局へ送信され、携帯電話通信網および専用線網を経て、健康管理サービス事業者側サーバにより、データベースＤＢに記録される。すなわち、データ測定器により測定されレシーバにより受信された測定データは、自動的且つリアルタイムに健康管理サービス事業者側サーバへ転送される。携帯電話の使用料金は健康管理サービス事業者側で支払うことも可能であるため、ユーザである老人等の方の費用負担を軽減することができ、比較的に安価な出費で済ませることができるという効果がある。
【発明を実施するための最良の形態】
【００２０】
以下、各実施例について図面を参照して詳細に説明する。
【実施例１】
【００２１】
図１は、本発明の実施例１であるデータ管理システム１を示す。図１において、符号３０は携帯電話通信網、３２、３４は携帯電話通信網３０に設けられた基地局、１０は特に独居老人家庭等のホーム・システム、１２はホーム・システム１０内に設置され、基地局３２を介して携帯電話通信網３０と接続されたレシーバ（データ送受信装置）、４０は携帯電話事業者側システム、４４は携帯電話通信網３０とルータ４２を介して接続された携帯電話事業者側サーバ、５０は総合ディジタル通信網（Integrated Services Digital Network : ＩＳＤＮ）または仮想閉域網（Internet Protocol−Virtual Private Network : ＩＰ−ＶＰＮ）等の専用線網、６０は健康管理サービス等を行う健康管理サービス事業者（以下、「サービス事業者」と略す。）側のシステム、６４は専用線網５０とルータ６２を介して接続されたサービス事業者側サーバ（データ管理サーバ）、６６はホーム・システム１０のユーザの健康管理用のデータを記録したデータベースＤＢ（データ記録部）、８０は基地局３４を介して携帯電話通信網３０と接続された携帯電話器（移動通信装置）である。図１に示されるように、レシーバ１２、サービス事業者側サーバ６６および携帯電話器８０は、携帯電話通信網３０、専用線網５０を介して相互に接続されている。
【００２２】
次に、レシーバ１２について説明する。図１において、符号２０はレシーバ１２の機能を示す機能ブロックである。図１に示されるように、レシーバ１２は、データ測定器１４、１６よび１８等から所定のワイヤレス通信方式により送られた測定データを受信する測定データ受信部（測定データ受信手段）２２と、測定データ受信部２２により受信した測定データに基づく測定情報をサービス事業者側サーバ６６へ送信する測定情報送信部（測定情報送信手段）２４とを備えている。データ測定器１４等および所定のワイヤレス通信方式に関しては後述する。
【００２３】
図１において、符号７０はサービス事業者側サーバ６４の機能を示す機能ブロックである。サービス事業者側サーバ６４の測定情報処理部（測定情報処理手段）７２は、測定情報送信部２４により送信された測定情報を所定の管理方式に基づきデータベースＤＢ６６へ記録する。所定の管理方式としては、バイタルデータ保管、システム制御管理、サービス運営管理等の目的でシステム構築を行う場合の種々の管理方式が好適である。さらに測定情報処理部７２は、測定情報と所定の関連を有する携帯電話器８０へ所定の通知を送信する。ホーム・システム１０におけるユーザは特に老人または介護を要する方（以下、「老人等」と言う。）の方を想定しているため、老人等の方の測定情報と所定の関連を有する携帯電話器８０としては、当該老人等の方の子供または親戚等が使用する携帯電話器が好適である。但し、携帯電話器８０は移動通信装置の一例であるため、ＰＨＳ（Personal Handyphone System）、その他の移動情報処理端末装置等であってもよいことは勿論である。当該老人等の方の子供または親戚等でなくても、ホームヘルパー、ケアマネージャー等、当該老人等の方の健康等を管理する立場にある者も当該老人等の方の測定情報と所定の関連を有する者としてよい。以下では上記所定の関連を有する者を「子供等」と言う。所定の通知は測定情報が記録された旨等の通知であり、当該通知は専用線網５０および携帯電話通信網３０を介して電子メール等の形態で送信されることが好適である。サービス事業者側サーバ６４は、携帯電話器８０からの要求に基づき、データベースＤＢ６６に記録された測定情報等の内容を所定の条件下で、携帯電話器８０へ送信する記録データ送信部（記録データ送信手段）７４を備えている。所定の条件としては、上記所定の関連を有する者であることの証明として、正当なユーザＩＤおよびパスワードの入力が好適である。
【００２４】
図１において、符号９０は携帯電話器８０の機能を示す機能ブロックである。携帯電話器８０は、測定情報処理部７２により送信された所定の通知に基づいて、上記所定の関連を有する者から入力された測定情報の送信要求等を、サービス事業者側サーバ６４へ送信する要求送信部（要求送信手段）９２を備えている。所定の通知は上述のように電子メール等の形態で送信されるため、当該通知には送信元（サービス事業者側サーバ６４）のホーム・ページ等のＵＲＬ（Uniform Resource Locator）が示されている。従って、当該ＵＲＬにアクセスしユーザＩＤおよびパスワードを入力すればよい。携帯電話器８０は、記録データ送信部７４により送信された測定情報等の内容を所定の形式で提示する内容提示部（内容提示手段）９４を備えている。所定の形式としては測定情報等の内容を携帯電話器８０のディスプレイ８２に表示する形式であることが好適であるが、音声ガイダンスによる形式であってもよいことは勿論である。ディスプレイ８２への表示形式と音声ガイダンスによる形式とを併用してもよい。
【００２５】
図２は、ホーム・システム１０の詳細な構成を示す。図２で図１と同じ符号を付した箇所は同じ要素を示すため説明は省略する。図２では図面の都合上、レシーバ１２は他のデータ測定器１４等と同じサイズで示されているが、実際は手帳程度のコンパクトなサイズであり、購入後、梱包された箱から取り出し電源を入れるだけですぐに使い始めることが可能となっている。このため、従来のようなＰＣの配置および必要な初期設定の操作等は不要である。図２に示されるように、データ測定器１４は体重計・体脂肪計等の体組成計であり、データ測定器１６は血圧計であり、データ測定器１８は歩数計である。データ測定器１４等は測定対象である老人等の方の生体に関連するデータの測定器であることが好適であり、上述のデータ測定器１４等以外にも尿糖計、体温計等であってもよい。図２では３台のデータ測定器１４等が示されているが、これは図面の都合上のものであり、台数が３台に限定されるわけではなく、所望の台数のデータ測定器を設置することができる。データ測定器１４および１６とレシーバ１２との間の通信方式（所定のワイヤレス通信方式）は、特定小電力無線とすることができる。特定小電力無線とは、免許を必要としない無線であり、アンテナ電力が１０ｍＷ以下の近距離用の無線（特定小電力無線局テレメータ用、テレコントロール用及びデータ伝送用無線設備標準規格ＡＲＩＢＳＴＤ−Ｔ６７）である。通信可能な距離は５０〜１００ｍ程度であるが、見通しが立たないような状況でも通信可能である。データ測定器１８とレシーバ１２との間の通信方式（所定のワイヤレス通信方式）は、赤外線とすることができる。赤外線送信のフォーマットとしては、一般的な家電製品協会フォーマット等またはオリジナルなフォーマット等を用いればよい。データ測定器１８をレシーバ１２に載せる等の簡単な操作により測定データを自動的にレシーバ１２へ送信することができる。以上のような通信方式を用いることにより、測定データをレシーバ１２へ自動的且つリアルタイムに送信することができるため、老人等の方に測定データの転送等に際し余計な負担をかけることがなく、且つユーザである老人等の子供等にとってリアルタイムに親の健康状態を知ることが可能である。
【００２６】
図３は、レシーバ１２の構成を示す。図３において、符号２２ａは測定データ受信部２２の一例である赤外線受信部、２２ｂは測定データ受信部２２の一例である特定小電力無線用アンテナ、２４ａは測定情報送信部２４の一例である携帯電話用アンテナである。いずれも通常用いられる部品を用いればよい。特定小電力無線用アンテナ２２ｂおよび携帯電話用アンテナ２４ａはいずれも内蔵されているため、図３では点線で示されている。符号２７は携帯電話用アンテナ２４ａのアンテナ強度を示すアンテナ強度表示部、２８は携帯電話の通信状態を示す通信状態表示部である。アンテナ強度表示部２７および通信状態表示部２８はＬＥＤを用いて構成すればよい。音声出力部（不図示）により通信動作音を出力することができ、通信状況、データ測定器１４等側の異常または使用方法等を音声ガイダンスで出力することもできる。
【００２７】
体組成計１４等には複数の個人番号ボタン（不図示）が設けられており、ユーザである老人等の方がレシーバ１２の電源を入れ、体組成計１４等の個人番号ボタンの内、自分の番号を押して測定することにより、レシーバ１２はユーザである老人等の方の認証を自動的に行うことができる。レシーバ１２は、体組成計１４および血圧計１６から特定小電力無線により送信された測定データを特定小電力無線用アンテナ２２ｂで受信し、歩数計１８から赤外線により送信された測定データを赤外線受信部２２ａで受信する。受信した測定データは、レシーバ１２のＩＤ等を含めた測定情報として携帯電話用アンテナ２４ａを介して基地局３２へ送信される。従って、レシーバ１２はホーム・システム１０内において携帯電波の届く範囲であれば、どこにでも設置することができる。基地局３２へ送信された測定情報は、携帯電話通信網３０および専用線網５０を経て、サービス事業者側サーバ６４により、データベースＤＢ６６に記録される。すなわち、データ測定器１４等により測定されレシーバ１２により受信された測定データは、自動的且つリアルタイムに測定情報としてサービス事業者側サーバ６４へ転送される。携帯電話の使用料金はサービス事業者側で支払うことも可能であるため、ユーザである老人等の方の費用負担を軽減することができる。レシーバ１２はサービス事業者側サーバ６４から時刻を取得することもでき、取得した時刻により自動的にタイマーに時間設定を行なうことができる。
【００２８】
図４は、特定小電力送信モジュールＭＤの設置方法を示す。図４で図１と同じ符号を付した箇所は同じ要素を示すため、説明は省略する。図４に示されるように、体組成計１４および血圧計１６等には特定小電力送信用の同じ特定小電力送信モジュールＭＤを組み込むことができる。このため、様々なデータ測定器１４等に同じ特定小電力送信モジュールＭＤを組み込むことにより、通信機能を備えていない従来のデータ測定器を簡易且つ安価にホーム・システム１０内で使用することができる。
【００２９】
図５は、本発明のデータ管理方法の流れをフローチャートで示す。図５で、左側のフローチャートはレシーバ１２側の処理の流れを示し、中央のフローチャートはサービス事業者側サーバ６４の処理の流れを示し、右側のフローチャートは携帯電話器８０側の処理の流れを示し、相互の通信は各フローチャート間を結ぶ点線により示す。図５に示されるように、まずレシーバ１２が、データ測定器１４等から所定のワイヤレス通信方式により送られた測定データｄを受信する（測定データ受信ステップ。ステップＳ１０）。次に、測定データ受信ステップ（ステップＳ１０）により受信した測定データｄに基づく測定情報ｉｎｆをサービス事業者側サーバ６４へ送信する（測定情報送信ステップ。ステップＳ１２）。
【００３０】
続いて、サービス事業者側サーバ６４は、測定情報送信ステップ（ステップＳ１２）により送信された測定情報ｉｎｆを所定の管理方式に基づきデータベースＤＢ６６に記録し、測定情報ｉｎｆと所定の関連を有する携帯電話器８０へ所定の通知ｍｅｓｓを送信する（測定情報処理ステップ。ステップＳ１４）。
【００３１】
携帯電話器８０は、測定情報処理ステップ（ステップＳ１４）により送信された所定の通知ｍｅｓｓに基づいて、老人等の方の子供等により入力された送信要求ｒｅｑをサービス事業者側サーバ６４へ送信する（要求送信ステップ。ステップＳ１６）。
【００３２】
サービス事業者側サーバ６４は、要求送信ステップ（ステップＳ１６）により送信された要求ｒｅｑに基づき、データベースＤＢ６６に記録された内容ｃｏｎｔを所定の条件下で携帯電話器８０へ送信する（記録データ送信ステップ。ステップＳ１８）。
【００３３】
携帯電話器８０は、記録データ送信ステップ（ステップＳ１８）により送信された内容ｃｏｎｔを所定の形式で提示する（内容提示ステップ。ステップＳ２０）。なお、上記実施例において、サービス事業者側サーバ６４から携帯電話器８０へは、データ測定器１４等での測定毎にリアルタイムで所定の通知ｍｅｓｓが送られるが、携帯電話器８０からサービス事業者側サーバ６４に指定時刻を設定することにより、その指定時刻に所定の通知ｍｅｓｓを送ることも可能である。さらに、携帯電話器８０からサービス事業者側サーバ６４に所定の通知ｍｅｓｓを要求することにより、任意の時刻に内容ｃｏｎｔを提示することも可能である。これらにより、会社員等のように時間的制約のある人でも本データ管理システム１（後述のデータ管理システム２、３等も含む。）を気楽に利用することができる。
【００３４】
以上より、本発明の実施例１によれば、データ管理システム１は携帯電話通信網３０、専用線網５０を介して相互に接続されたレシーバ１２、サービス事業者側サーバ６６および携帯電話器８０を備えている。レシーバ１２は、データ測定器１４、１６よび１８等から所定のワイヤレス通信方式により送られた老人等の方の測定データを受信する測定データ受信部２２と、測定データ受信部２２により受信した測定データに基づく測定情報をサービス事業者側サーバ６６へ送信する測定情報送信部２４とを備えている。サービス事業者側サーバ６４の測定情報処理部７２は、測定情報送信部２４により送信された測定情報を所定の管理方式に基づきデータベースＤＢ６６へ記録し、測定情報と所定の関連を有する携帯電話器８０へ所定の通知を送信する。携帯電話器８０は、測定情報処理部７２により送信された所定の通知に基づいて、上記所定の関連を有する者から入力された測定情報の送信要求等を、サービス事業者側サーバ６４へ送信する要求送信部９２を備えている。サービス事業者側サーバ６４は、携帯電話器８０からの要求に基づき、データベースＤＢ６６に記録された測定情報等の内容を所定の条件下で、携帯電話器８０へ送信する記録データ送信部７４を備えている。携帯電話器８０は、記録データ送信部７４により送信された測定情報等の内容を所定の形式で提示する内容提示部９４を備えている。
【００３５】
レシーバ１２は、購入後、梱包された箱から取り出し電源を入れるだけですぐに使い始めることが可能となっている。このため、従来のようなＰＣの配置および必要な初期設定の操作等は不要である。データ測定器１４等は測定対象である老人等の方の生体に関連するデータの測定器であることが好適である。所定のワイヤレス通信方式は、データ測定器１４等に応じて特定小電力無線、赤外線等とすることができる。以上のような通信方式を用いることにより、測定データをレシーバ１２へ自動的且つリアルタイムに送信することができるため、老人等の方に測定データの転送等に際し余計な負担をかけることがなく、且つユーザである老人等の子供等にとってリアルタイムに親の健康状態を知ることが可能となる。レシーバ１２で受信された測定データは測定情報として基地局３２へ送信され、携帯電話通信網３０および専用線網５０を経て、サービス事業者側サーバ６４により、データベースＤＢ６６に記録される。すなわち、データ測定器１４等により測定されレシーバ１２により受信された測定データは、自動的且つリアルタイムにサービス事業者側サーバ６４へ転送される。携帯電話の使用料金はサービス事業者側で支払うことも可能であるため、ユーザである老人等の方の費用負担を軽減することができ、比較的に安価な出費で済ませることができる。なお、体組成計１４には、ユーザである老人等の方の身長、年齢、性別等の生体情報を入力する必要があるが、体組成計１４に直接入力する代わりに携帯電話器８０または別の手段を用いてデータベースＤＢ６６に入力し、その情報を携帯電話網３０、レシーバ１２を介して体組成計１４に送信することも可能であり、この場合ユーザである老人等の方の負担を軽減することができる。
【実施例２】
【００３６】
図６は、本発明の実施例２であるデータ管理システム２を示す。図６で図１と同じ符号を付した箇所は同じ要素を示すため説明は省略する。図６において、符号１００は固定電話網、１１０は固定電話事業者側システムである。図６に示されるように、レシーバ１２と固定電話事業者側システム１１０との間は固定電話網１００で接続することもできる。この場合、レシーバ１２には有線接続のための端子（不図示）を設ければよい。レシーバ１２は携帯電波が届かない場所であっても固定電話回線があれば任意の場所に設置することができる。固定電話事業者側システム１１０とサービス事業者側サーバ６４との間は実施例１と同様に専用線網で接続する。携帯電話網３０の基地局３２等の数は山岳部等では都市部と比較して極めて少ないため、データ管理システム２を用いることにより、過疎地域に居住する老人等の方へも適切な健康管理サービスを提供することができる。ユーザは固定電話網１００と携帯電話網３０とを料金、用途等を勘案して任意に選択することも可能となる。
【００３７】
以上より、本発明の実施例２によれば、レシーバ１２と固定電話事業者側システム１１０との間は固定電話網１００で接続することもできる。データ管理システム２を用いることにより、過疎地域に居住する老人等の方へも適切な健康管理サービスを提供することができる。ユーザは固定電話網１００と携帯電話網３０とを料金等を勘案して任意に選択することも可能となるため、実施例１の効果に加えて、さらにユーザである老人等の方の費用負担を軽減することができ、さらに安価な出費で済ませることができる。
【実施例３】
【００３８】
図７は、本発明の実施例３であるデータ管理システム３を示す。図７で図６と同じ符号を付した箇所は同じ要素を示すため説明は省略する。図７において、符号９６は携帯電話器８０に追加された機能であり、内容提示部９４より提示された内容に基づく応答情報をレシーバ１２へ送信する応答情報送信部（応答情報送信手段）である。ユーザである老人等の方と子供等は、内容提示部９４により提示された内容を見て（および／または聞いて）から、所望の返答を電子メールで基地局３４、携帯電話網３０、基地局３２を介してホーム・システム１０内のレシーバ１２へ送信することができる。図７に示されるように、レシーバ１２にはさらにディスプレイ（表示装置）１１を接続しておくことができ、応答情報送信部９６により送信された応答情報を表示部（表示手段）２６の機能によりディスプレイ１１に表示することができる。
【００３９】
以上より、本発明の実施例３によれば、レシーバ１２にはさらにディスプレイ１１を接続しておくことができる。ユーザである老人等の方と子供等は、内容提示部９４により提示された内容を見て（および／または聞いて）から、所望の返答を電子メールで基地局３４等を介してホーム・システム１０内のレシーバ１２へ送信することができる。表示部２６は、応答情報送信部９６により送信された応答情報をディスプレイ１１に表示することができる。この結果、上述した実施例の効果に加えて、ユーザである老人等の方は子供等に自分の健康状態を知ってもらったことを簡易に認識することができる。
【実施例４】
【００４０】
上述した実施例では、データ測定器１４等は測定対象である老人等の方の生体に関連するデータの測定器であるものとした。しかし、データ測定器としては測定対象の環境に関連するデータの測定器であってもよい。例えば、ユーザである老人等の方がホーム・システム１０内のある部屋に入室し照明を点けた場合のために、明るさの変化を検知する照度スイッチをデータ測定器として用いることができる。この結果、照明を点けたという事実がリアルタイムでレシーバ１２からサービス事業者側サーバ６４を介して携帯電話器８０へ送信されるため、ユーザである老人等の子供等は、当該老人等の方がある部屋に入室したという事実、すなわち当該老人等の方の環境の変化を直ちに知ることができる。照明を消した場合も同様に当該事実が直ちに携帯電話器８０へ送信されるため、子供等は、ユーザである老人等の方がある部屋から退室した（あるいは就寝した）という当該老人等の方の環境の変化を直ちに知ることができる。
【００４１】
測定対象の環境に関連するデータの測定器としては、ドア開閉スイッチとすることもできる。ドア開閉スイッチをホーム・システム１０内のドアまたは窓等に取付けておくことにより、ユーザである老人等の方がドアまたは窓等を開閉する毎に、当該事実がリアルタイムでレシーバ１２からサービス事業者側サーバ６４を介して携帯電話器８０へ送信される。このため、子供等は、当該老人等の方の環境の変化を直ちに知ることができる。
【００４２】
測定対象の環境に関連するデータの測定器としては、赤外線センサーとすることもできる。赤外線センサーをホーム・システム１０内の所望の位置に取付けておくことにより、ユーザである老人等の方が赤外線センサーに検知される毎に、当該事実がリアルタイムでレシーバ１２からサービス事業者側サーバ６４を介して携帯電話器８０へ送信される。このため、子供等は、当該老人等の方の環境の変化を直ちに知ることができる。
【００４３】
データ測定器としては測定対象の状況に関連するデータの測定器であってもよい。例えば、緊急通報ボタンとすることもできる。緊急通報ボタンをホーム・システム１０内の所望の位置に取付けておくか、またはペンダント式等としてユーザである老人等の方の身につけておくことにより、老人等の方が緊急通報ボタン押す毎に、当該事実がリアルタイムでレシーバ１２からサービス事業者側サーバ６４を介して携帯電話器８０へ送信される。このため、子供等は、当該老人等の方の状況の変化（緊急事態等）を直ちに知ることができる。
【００４４】
以上より、本発明の実施例４によれば、データ測定器として測定対象の環境および／または状況に関連するデータの測定器とすることもできる。データ測定器としては、測定対象である老人等の方の生体に関連するデータの測定器、測定対象の環境に関連するデータの測定器、測定対象の状況に関連するデータの測定器のいずれか１つ以上とすればよい。この結果、子供等は老人等の方の安否を容易に確認することができる。
【産業上の利用可能性】
【００４５】
本発明の活用例として、特に独居老人家庭における老人等の方をユーザとする健康管理システムへの適用が挙げられる。
【図面の簡単な説明】
【００４６】
【図１】本発明の実施例１であるデータ管理システム１を示す図である。
【図２】ホーム・システム１０の詳細な構成を示す図である。
【図３】レシーバ１２の構成を示す図である。
【図４】特定小電力送信モジュールＭＤの設置方法を示す図である。
【図５】本発明のデータ管理方法の流れを示すフローチャートである。
【図６】本発明の実施例２であるデータ管理システム２を示す図である。
【図７】本発明の実施例３であるデータ管理システム３を示す図である。
【符号の説明】
【００４７】
１、２、３  データ管理システム、  １０  ホーム・システム、  １１  ディスプレイ、  １２  レシーバ、  １４、１６、１８  データ測定器、  ２０、７０、９０  機能ブロック、  ２２  測定データ受信部、  ２２ａ  赤外線受信部、  ２２ｂ  特定小電力無線用アンテナ、  ２４  測定情報送信部、  ２４ａ  携帯電話用アンテナ、  ２７  アンテナ強度表示部、  ２８  通信状態表示部、  ３０  携帯電話通信網、  ３２、３４  基地局、  ４０  携帯電話事業者側システム、  ４２、６２  ルータ、  ４４  携帯電話事業者側サーバ、  ５０  専用線網、  ６０  サービス事業者側のシステム、  ６４  サービス事業者側サーバ、  ６６  データベースＤＢ、  ７２  測定情報処理部、  ７４  記録データ送信部、  ８０  携帯電話器、  ８２  ディスプレイ、  ９２  要求送信部、  ９４  内容提示部、  ９６  応答情報送信部、  １００  固定電話網、  １１０  固定電話事業者側システム。
【図１】
2007229315.tif 000003
【図４】
2007229315.tif 000004
【図５】
2007229315.tif 000005
【図６】
2007229315.tif 000006
【図７】
2007229315.tif 000007
【図２】
2007229315.tif 000008
【図３】
2007229315.tif 000009